(57)【要約】【課題】筐体内に配置されたモータ等が扉を通して筐体内に浸入した水に漬かるのを抑制した作動装置を提供する。【解決手段】作動装置２５は、上下方向に沿って配置された軸体と、軸体を回転させるモータ２９と、モータを制御する制御部３１と、モータ及び制御部に電力を供給するバッテリ３２と、モータ、制御部、及びバッテリを収容し、開閉可能な扉３８を有する筐体２６と、筐体内に配置され、モータ、制御部、及びバッテリを個別に覆う複数の防水カバー３３，３４，３５と、を備える。【選択図】図３
2020165505.tif 000002
【特許請求の範囲】
【請求項１】
上下方向に沿って配置された軸体と、
前記軸体を回転させるモータと、
前記モータを制御する制御部と、
前記モータ及び前記制御部に電力を供給するバッテリと、
前記モータ、前記制御部、及び前記バッテリを収容し、開閉可能な扉を有する筐体と、
前記筐体内に配置され、前記モータ、前記制御部、及び前記バッテリを個別に覆う複数の防水カバーと、
を備える作動装置。
【請求項２】
前記制御部に接続されたスイッチを備え、
前記スイッチは、前記制御部を覆う前記防水カバーに覆われている請求項１に記載の作動装置。
【請求項３】
上下方向に沿って配置された軸体と、
前記軸体を回転させるモータと、
前記モータを制御する制御部と、
前記モータ及び前記制御部に電力を供給するバッテリと、
前記モータ、前記制御部、及び前記バッテリを収容し、開閉可能な扉を有する筐体と、
前記筐体内に配置され、前記モータ及び前記制御部を覆う第１防水カバーと、
前記筐体内に配置され、前記バッテリを覆う第２防水カバーと、
を備える作動装置。
【請求項４】
管を備える配管構造と、
前記管を開閉させる請求項１から３のいずれか１項に記載の作動装置と、を備える配管システム。
【請求項５】
雌ねじが形成され、前記軸体を前記軸体の軸線回りに回転可能に支持する支持部材を備え、
前記軸体には、前記雌ねじに嵌り合う雄ねじが形成されている請求項４に記載の配管システム。
【請求項６】
前記配管構造が、前記管内に配置され前記管を開閉させる弁体を備え、
前記軸体が上下方向に移動することで前記弁体を作動させる請求項４又は５に記載の配管システム。
【請求項７】
前記軸体は、
前記弁体が上方に移動することを規制する第１の位置と、
前記第１の位置よりも上方に位置し、前記弁体が上方に移動することを許容する第２の位置と、の間を上下方向に移動する請求項６に記載の配管システム。
【発明の詳細な説明】
【技術分野】
【０００１】
本発明は、作動装置及び配管システムに関する。
【背景技術】
【０００２】
従来、管を備える配管構造と、管を開閉させる作動装置と、を備える配管システムが知られている（例えば、特許文献１参照）。
作動装置は、本体ケース（筐体）と、本体ケースの内部に収容されたモータ、バッテリ等と、を備えている。
モータは、バッテリに蓄えられた電力によって駆動される。モータには、回転軸が連結されている。回転軸は、送りねじ機構により上下方向に移動する。
配管構造の弁体は、回転軸に連結されている。弁体が回転軸により上下方向に移動することで、管が開閉する。
【先行技術文献】
【特許文献】
【０００３】
【特許文献１】特開２０１７−１９３９１４号公報
【発明の概要】
【発明が解決しようとする課題】
【０００４】
配管システムでは、作動装置のメンテナンス等のために、本体ケースが開閉可能な扉を有することが望まれている。
しかしながら、配管システムが浸水して水に漬かると、扉を通して本体ケース内に水が浸入する虞がある。
【０００５】
本発明は、このような問題点に鑑みてなされたものであって、筐体内に配置されたモータ等が扉を通して筐体内に浸入した水に漬かるのを抑制した作動装置、及びこの作動装置を備える配管システムを提供することを目的とする。
【課題を解決するための手段】
【０００６】
上記課題を解決するために、この発明は以下の手段を提案している。
本発明の作動装置は、上下方向に沿って配置された軸体と、前記軸体を回転させるモータと、前記モータを制御する制御部と、前記モータ及び前記制御部に電力を供給するバッテリと、前記モータ、前記制御部、及び前記バッテリを収容し、開閉可能な扉を有する筐体と、前記筐体内に配置され、前記モータ、前記制御部、及び前記バッテリを個別に覆う複数の防水カバーと、を備えることを特徴としている。
【０００７】
この発明によれば、制御部が、バッテリから供給された電力を用いてモータにより軸体を回転させることで、作動装置が作動する。そして、筐体の扉を開けて、筐体内に配置されたモータ等をメンテナンス等することができる。
また、モータ、制御部、及びバッテリは、筐体内に配置された複数の防水カバーにより個別に覆われているため、扉を通して筐体内に浸入した水にモータ、制御部、及びバッテリが漬かるのを抑制することができる。
【０００８】
また、上記の作動装置において、前記制御部に接続されたスイッチを備え、前記スイッチは、前記制御部を覆う前記防水カバーに覆われていてもよい。
この発明によれば、制御部を覆う防水カバーを用いて、筐体内に配置されたスイッチが、扉を通して筐体内に浸入した水に漬かるのを抑制することができる。
【０００９】
また、本発明の他の作動装置は、上下方向に沿って配置された軸体と、前記軸体を回転させるモータと、前記モータを制御する制御部と、前記モータ及び前記制御部に電力を供給するバッテリと、前記モータ、前記制御部、及び前記バッテリを収容し、開閉可能な扉を有する筐体と、前記筐体内に配置され、前記モータ及び前記制御部を覆う第１防水カバーと、前記筐体内に配置され、前記バッテリを覆う第２防水カバーと、を備えることを特徴としている。
【００１０】
この発明によれば、制御部が、バッテリから供給された電力を用いてモータにより軸体を回転させることで、作動装置が作動する。そして、筐体の扉を開けて、筐体内に配置されたモータ等をメンテナンス等することができる。
また、モータ及び制御部は、筐体内に配置された第１防水カバーにより覆われ、バッテリは、筐体内に配置された第２防水カバーにより覆われている。このため、扉を通して筐体内に浸入した水にモータ、制御部、及びバッテリが漬かるのを抑制することができる。
【００１１】
また、本発明の配管システムは、管を備える配管構造と、前記管を開閉させる上記のいずれかに記載の作動装置と、を備えることを特徴としている。
この発明によれば、筐体内に配置されたモータ等が扉を通して筐体内に浸入した水に漬かるのを抑制した作動装置を用いて、配管構造の管を開閉させることができる。
【００１２】
また、上記の配管システムにおいて、雌ねじが形成され、前記軸体を前記軸体の軸線回りに回転可能に支持する支持部材を備え、前記軸体には、前記雌ねじに嵌り合う雄ねじが形成されていてもよい。
この発明によれば、モータが軸体を軸線回りに回転させたときに、支持部材の雌ねじと軸体の雄ねじとの嵌め合わせにより、軸体を上下方向に移動させることができる。
【００１３】
また、上記の配管システムにおいて、前記配管構造が、前記管内に配置され前記管を開閉させる弁体を備え、前記軸体が上下方向に移動することで前記弁体を作動させてもよい。
この発明によれば、作動装置が軸体を上下方向に移動させることで、弁体を作動させて管を開閉させることができる。
【００１４】
また、上記の配管システムにおいて、前記軸体は、前記弁体が上方に移動することを規制する第１の位置と、前記第１の位置よりも上方に位置し、前記弁体が上方に移動することを許容する第２の位置と、の間を上下方向に移動してもよい。
この発明によれば、軸体が第１の位置に配置されることで弁体が上方に移動することを規制するとともに、軸体が第２の位置に配置されることで弁体が上方に移動することを許容することができる。
【発明の効果】
【００１５】
本発明の作動装置及び配管システムによれば、筐体内に配置されたモータ等が扉を通して筐体内に浸入した水に漬かるのを抑制することができる。
【図面の簡単な説明】
【００１６】
【図１】本発明の一実施形態の給水システムの一部を破断した正面図である。
【図２】同給水システムの横断面図である。
【図３】同給水システムの作動装置における要部の一部を破断した斜視図である。
【図４】同給水システムのガイドの横断面図である。
【図５】同給水システムのスイッチ及び第１防水カバーの縦断面図である。
【発明を実施するための形態】
【００１７】
以下、本発明に係る配管システムの一実施形態を、配管システムが給水システムである場合を例にとって、図１から図５を参照しながら説明する。
図１及び図２に示すように、給水システム１は、給水栓（配管構造）１０と、本実施形態の作動装置（開閉装置）２５と、を備えている。
例えば、給水栓１０は、浮上式の止水栓ボールを用いた開閉弁である。図１に示すように、給水栓１０は、給水管（管）１１と、弁開口１２ａを有する吐出管（支持部材）１２と、吐出管１２の上方を覆う整流カバー１３と、給水管１１内で上下方向に移動自在に収容された止水栓ボール（弁体）１４と、を備えている。
なお、図１及び図２では、後述する防水カバー３３，３４，３５及び配線６４を示していない。
【００１８】
給水管１１は、図示はしないが、ファームポンド（用水供給源）からパイプラインを経由して送られた水を、圃場に供給する。給水管１１は、地面に対して略垂直に立ち上げられている。
吐出管１２は、有頂筒状をなしている。吐出管１２は、給水管１１の上端部に取付けられている。吐出管１２内と給水管１１内とは連通している。吐出管１２の内径は、給水管１１の内径よりも小径である。
【００１９】
弁開口１２ａは、吐出管１２の側壁の下端の内縁部に全周にわたって設けられている。弁開口１２ａは、止水栓ボール１４の外周面が液密に接触可能な座面を形成している。
吐出管１２の天面の中心は、天面から下方に向けて突出している。この突出した部分には、貫通孔１２ｂが形成されている。貫通孔１２ｂの内周面には、不図示の雌ねじが形成されている。雌ねじの軸線は、上下方向に沿って延びている。
【００２０】
吐出管１２の天面には、吐出孔１２ｃが複数設けられている。弁開口１２ａが開いたときに、給水管１１内の水が吐出管１２内に流入するとともに、吐出孔１２ｃを通して給水栓１０の外部に吐出される。
整流カバー１３は、吐出管１２の上部を覆う有頂筒状の部材である。整流カバー１３の天板は、吐出管１２の上端部に固定されている。整流カバー１３は、天板から側壁にかけて傘形状をなすように拡径している。
【００２１】
止水栓ボール１４は、いわゆるボール弁である。止水栓ボール１４は、給水管１１を開閉させる。止水栓ボール１４は、弁開口１２ａよりも水が流れる上流側で、給水管１１内において給水管１１内の水により作用する浮力により浮上可能、且つ上下方向に移動可能に配置されている。
給水管１１の内周面には、径方向内側に向かって突出するガイド部１８が設けられている。ガイド部１８は、周方向に沿って互いに間隔をあけて複数配置されている。止水栓ボール１４は、複数のガイド部１８に沿って上下方向に移動する。
【００２２】
止水栓ボール１４の直径は、弁開口１２ａの内径より大きく、且つ、給水管１１の内径より小さい。止水栓ボール１４の密度は、水の密度よりも小さい。止水栓ボール１４は、水内で浮く。
なお、止水栓ボール１４は、上方に弁開口１２ａの直径より大きな直径を有する球面が配置されるように形成されていれば、必ずしも球状に形成されていなくてもよい。例えば、止水栓ボール１４に、止水栓ボール１４の下方に向けて先細りした脚部が設けられていてもよい。止水栓ボール１４が、その他に公知の構成を備えていてもよい。
【００２３】
作動装置２５は、給水管１１を開閉させる。図１及び図２に示すように、作動装置２５は、筐体２６と、スピンドル（軸体）２７と、支持部材２８と、モータ２９と、スイッチ３０と、制御部３１と、バッテリ（蓄電部）３２と、３つの防水カバー３３，３４，３５と（図３参照）、を備えている。
図１及び図３に示すように、筐体２６は、底板３６と、筐体本体３７と、扉３８と、を備えている。なお、図１では扉３８を二点鎖線で示している。図３では、筐体２６の筐体本体３７、モータ２９、スイッチ３０、制御部３１、バッテリ３２、及び防水カバー３３，３４，３５等の位置関係を示している。図３では、後述するリミットスイッチ５０を１つのみ示している。
底板３６は、上下方向が厚さ方向となる円板状に形成されている。底板３６の中心には、貫通孔（不図示）が形成されている。貫通孔は、吐出管１２の貫通孔１２ｂと連通している。底板３６は、整流カバー１３の天板上に固定されている。
筐体本体３７は、有頂筒状に形成されている。筐体本体３７の周壁部は、円筒状に形成されている。周壁部の周方向の一部には、開口３７ａが形成されている。例えば、開口３７ａに対向するように見たときに、開口３７ａは矩形状である。
【００２４】
扉３８は、筐体本体３７の開口３７ａに対応して、湾曲した矩形状に形成されている。扉３８は、筐体本体３７における開口３７ａの周縁部に図示しないヒンジ等により連結されている。扉３８は、筐体本体３７の前記周縁部に対して回転でき、開口３７ａを開閉可能である。
筐体２６内には、支持部材２８、モータ２９、スイッチ３０、制御部３１、及びバッテリ３２等が収容されている。
【００２５】
図１に示すように、スピンドル２７は、棒状に形成され、上下方向に沿って配置されている。スピンドル２７の外周面には、吐出管１２の雌ねじに嵌り合う雄ねじ（不図示）が形成されている。スピンドル２７は、吐出管１２によりスピンドル２７の軸線Ｃ回りに回転可能に支持されている。スピンドル２７の下端部は、止水栓ボール１４の上端部に止水栓ボール１４の上方から接触している。
なお、図１に示すスピンドル２７の位置は、止水栓ボール１４が上方に移動することを規制する第１の位置Ｐ１である。スピンドル２７が第１の位置Ｐ１に配置されているときには、止水栓ボール１４は吐出管１２の弁開口１２ａから下方に離間している。給水システム１は、開いた状態にある。
【００２６】
図１及び図２に示すように、支持部材２８は円盤状に形成されている。支持部材２８は、自身の厚さ方向が上下方向に沿うように配置されている。支持部材２８は、スピンドル２７よりも上方であって筐体２６内に配置されている。支持部材２８は、スピンドル２７の軸線Ｃと同軸に配置されている。
【００２７】
支持部材２８は、筐体２６に固定されたガイド４１によって、筐体２６に対して上下方向に沿って移動するように案内されている。ガイド４１は、支柱４２と、中間部材４３と、固定部材４４と、を備えている。
支柱４２は、支持部材２８に対するガイドレールとして機能する。図４に示すように、支柱４２には、上下方向に延びるガイド溝４７が形成されている。
ガイド溝４７は、支柱４２の上下方向の全長にわたって設けられている。ガイド溝４７は、支柱４２の周方向に互いに間隔をあけて複数（図示の例では４つ）設けられている。なお図示の例では、支柱４２が平面視で矩形状に形成されており、支柱４２の４つの面それぞれにガイド溝４７が１つずつ設けられている。
【００２８】
ガイド溝４７は、開口部４８を備えている。開口部４８は、ガイド溝４７のうち、支柱４２の径方向の外側に向けて開口する部分である。開口部４８の幅（平面視で周方向に接する方向の長さ）は、ガイド溝４７のうち、開口部４８よりも径方向の内側に位置する部分についての幅よりも小さい。ガイド溝４７は、いわゆるアリ溝状に形成されている。
図１に示すように、支柱４２の下端部は筐体２６の底板３６に固定されている。
【００２９】
支柱４２の上端部及び下端部には、リミットスイッチ５０が取付けられている。各リミットスイッチ５０は、例えば支持部材２８がリミットスイッチ５０に接近したか否かを検出する。
各リミットスイッチ５０は、配線６４により制御部３１に接続されている（図３参照）。なお、配線６４は防水仕様であることが好ましい。
【００３０】
図４に示すように、中間部材４３は、支持部材２８に配置される第１部分５１と、ガイド溝４７内における開口部４８よりも径方向の内側に配置される第２部分５２と、第１部分５１と第２部分５２とを連結し、開口部４８内に配置される第３部分５３と、を備えている。第３部分５３は、第１部分５１や第２部分５２に対して幅方向に小さい。
固定部材４４は、例えば、ボルトとナットとの組み合わせによって構成される。固定部材４４は、中間部材４３の第１部分５１を支持部材２８に固定する。
【００３１】
図１に示すように、モータ２９は、支持部材２８の上面に固定されている。この例では、モータ２９の出力軸（不図示）は、ギアボックス５６に接続されている。ギアボックス５６は、支持部材２８の上面に固定されている。ギアボックス５６の出力軸（不図示）は、軸部材５７に接続されている。軸部材５７の一部は、支持部材２８に形成された貫通孔２８ａ内に配置されている。軸部材５７は、スピンドル２７の軸線Ｃと同軸に配置され、スピンドル２７に固定されている。
軸部材５７の外周面には、フランジ５８が固定されている。フランジ５８の外径は、貫通孔２８ａの外径よりも大きい。ギアボックス５６のケーシング及びフランジ５８は、支持部材２８を上下方向に挟んでいる。軸部材５７は、貫通孔２８ａ内で軸線Ｃ周りに回転できる。
【００３２】
モータ２９の出力軸が回転すると、ギアボックス５６を介して軸部材５７及びスピンドル２７が軸線Ｃ周りに回転する。このように、モータ２９はスピンドル２７を回転させる。スピンドル２７の雄ねじが吐出管１２の雌ねじに嵌り合っているため、モータ２９の出力軸が回転すると、給水栓１０に対してスピンドル２７及び支持部材２８が上下方向に移動する。
このとき、支柱４２のガイド溝４７によって中間部材４３が上下方向に沿って移動するように案内されるため、固定部材４４により中間部材４３に固定されていた支持部材２８は、上下方向に移動するように案内される。このとき、中間部材４３がガイド溝４７から幅方向に離脱しようとしても、その離脱は、中間部材４３の第２部分５２が支柱４２における開口部４８の周縁部分に係止することで規制される。
【００３３】
図５に示すように、スイッチ３０では、ケース６１に対して、被操作部材６２がケース６１から凸没するように移動できる。この例では、スイッチ３０は複数の被操作部材６２を備えているが、スイッチ３０が備える被操作部材６２の数は限定されない。複数の被操作部材６２は、互いに離間した状態で上下方向に並べて配置されている。各被操作部材６２に対応して、ケース６１内に図示しない接点が配置されている。
【００３４】
被操作部材６２は、操作者の指等によりケース６１に向かって押し込まれていない自然状態において、ケース６１から突出する長さが比較的長い。このとき、被操作部材６２に対応する接点はＯＦＦ状態である。一方で、被操作部材６２は、操作者の指等によりケース６１に向かって押し込まれた状態において、ケース６１から突出する長さが比較的短い。このとき、被操作部材６２に対応する接点はＯＮ状態である。
図３に示すように、この例では、スイッチ３０は制御部３１に固定されている。スイッチ３０は制御部３１に電気的に接続されていて、各接点の状態を制御部３１に送る。すなわち、スイッチ３０は操作者によって与えられた入力を、信号として制御部３１に送る。
【００３５】
制御部３１は、ＣＰＵ（Central Processing Unit）等を備えている。制御部３１は、モータ２９、スイッチ３０及びバッテリ３２に、配線６４等によりそれぞれ接続されている。制御部３１は、リミットスイッチ５０の検出結果、スイッチ３０から送られた入力に基づいてモータ２９を制御する。
バッテリ３２では、例えばケース６５の外面に一対の接点６６が配置されている。バッテリ３２では、ケース６５内の電解液等の蓄電材（不図示）に電力が蓄えられる。蓄電材に蓄えられた電力は、一対の接点６６からバッテリ３２の外部に出力される。バッテリ３２は、一対の接点６６がケース６５の上端部に位置するように配置されている。
バッテリ３２の一対の接点６６は、配線６４によりモータ２９及び制御部３１にそれぞれ接続されている。バッテリ３２は、モータ２９及び制御部３１に電力を供給する。
【００３６】
図５に示すように、防水カバー３３（以下、第１防水カバー３３とも言う）は、カバー本体６９と、伸縮部材７０と、を備えている。カバー本体６９は、下方が開口する袋状や箱状、円筒状等に形成されている（図３参照）。カバー本体６９は、塩化ビニル樹脂やＡＥＳ樹脂等の樹脂、金属、シリコーンフィルム、ポリエチレンフィルム等の不透水性を有する材料で、後述する貫通孔６９ａ以外の穴や隙間が生じないよう、カバー本体６９の全体が金型を用いた一体成型やプレス加工により形成されている。カバー本体６９には、複数の被操作部材６２に対応した位置に貫通孔６９ａが複数形成されている。
伸縮部材７０は、カバー本体６９の内面に取付けられ、複数の貫通孔６９ａをそれぞれ封止している。伸縮部材７０は、カバー本体６９と同様の材料で形成されている。
カバー本体６９と伸縮部材７０との間は、接着剤や溶着等により水密に封止されている。
【００３７】
第１防水カバー３３は、スイッチ３０及び制御部３１を覆っている。すなわち、スイッチ３０は、制御部３１を覆う第１防水カバー３３に覆われている。第１防水カバー３３の開口周縁部は、スイッチ３０及び制御部３１よりも下方に位置している。ただし、この例ではスイッチ３０及び制御部３１の下方の部分は第１防水カバー３３から露出している。
スイッチ３０の各被操作部材６２の一部は、カバー本体６９の複数の貫通孔６９ａからカバー本体６９の外部に突出している。伸縮部材７０は、カバー本体６９の外部において、カバー本体６９の外部に突出している各被操作部材６２の一部を覆っている。
【００３８】
図３に示すように、防水カバー３４（以下、第２防水カバー３４とも言う）及び防水カバー３５（以下、第３防水カバー３５とも言う）は、カバー本体６９と同様の材料及び方法により、下方が開口する袋状や箱状、円筒状等に形成されている。
第２防水カバー３４は、モータ２９及びギアボックス５６を覆っている。第２防水カバー３４の開口周縁部は、モータ２９及びギアボックス５６よりも下方に位置している。
この例では、第３防水カバー３５はバッテリ３２の一対の接点６６を覆い、ケース６５の下端部は第３防水カバー３５の外部に突出している。すなわち、第３防水カバー３５の開口周縁部は一対の接点６６よりも下方に位置し、ケース６５の下端部よりも上方に位置している。なお、第３防水カバー３５がバッテリ３２全体を覆うように構成してもよい。
【００３９】
防水カバー３３，３４，３５は、筐体２６内に配置されている。第１防水カバー３３はスイッチ３０及び制御部３１を、第２防水カバー３４はモータ２９及びギアボックス５６を、第３防水カバー３５はバッテリ３２を、それぞれ個別に覆っている。
モータ２９、制御部３１、バッテリ３２等を接続する配線６４は、防水カバー３３，３４，３５の開口から防水カバー３３，３４，３５の外部に引き出されている。このため、防水カバー３３，３４，３５に配線６４を通すための孔を形成することが抑えられる。
【００４０】
次に、以上のように構成された給水システム１の動作について説明する。
なお、モータ２９及び制御部３１は、バッテリ３２から供給された電力により駆動する。
図１に示すように、スピンドル２７が第１の位置Ｐ１に配置されているときには、給水システム１が開いた状態にあり、給水管１１内を水が流れる。水は、吐出管１２の弁開口１２ａ、吐出孔１２ｃを通して給水栓１０の外部に吐出され、圃場に供給される。
【００４１】
一方で、操作者が筐体２６の扉３８を開けて指等によりスイッチ３０を操作することにより、モータ２９の出力軸を所定の向きに回転させる。このとき、第１防水カバー３３の伸縮部材７０を変形させて被操作部材６２を操作する。
すると、ギアボックス５６を介して軸部材５７及びスピンドル２７が軸線Ｃ回りに回転する。吐出管１２の雌ねじに嵌め合うスピンドル２７が上方に移動し、スピンドル２７が第２の位置Ｐ２に配置される。第２の位置Ｐ２は、第１の位置Ｐ１よりも上方に位置する。
【００４２】
スピンドル２７が第２の位置Ｐ２に配置されているときには、止水栓ボール１４は、スピンドル２７が第１の位置Ｐ１に配置されているときの止水栓ボール１４の位置よりも上方に移動することを許容される。止水栓ボール１４は、吐出管１２の弁開口１２ａに下方から接触する。給水システム１は、閉じた状態にある。このように、スピンドル２７が上下方向に移動することで止水栓ボール１４を作動させる。スピンドル２７は、第１の位置Ｐ１と第２の位置Ｐ２との間を上下方向に移動する。作動装置２５は、吐出管１２に対してスピンドル２７が上下方向に移動することで、給水管１１を開閉させる。
スピンドル２７が第２の位置Ｐ２に配置されているときには、給水管１１内を水が流れず、水は圃場に供給されない。
【００４３】
なお、スピンドル２７が第１の位置Ｐ１に配置されていること、及び第２の位置Ｐ２に配置されていることは、リミットスイッチ５０により検出される。
【００４４】
このように構成された給水システム１が浸水すると、水は筐体２６の扉３８等を通して筐体２６内に浸入する。防水カバー３３，３４，３５は開口が下方になるように配置され、かつ、貫通孔６９ａ以外の穴が無いため、侵水水位が防水カバー３３，３４，３５の開口以上になると開口以上の水位のぶんだけ防水カバー３３，３４，３５内の空気が圧縮され、圧縮された空気は貫通孔６９ａに配置された伸縮部材７０を内部から押圧する。このため、防水カバー３３，３４，３５内の圧縮された空気により防水カバー３３，３４，３５内に水が浸入しにくい。第１防水カバー３３のカバー本体６９と伸縮部材７０との間は水密に封止されているため、水がカバー本体６９と伸縮部材７０との間を通して第１防水カバー３３内に入り難い。
【００４５】
以上説明したように、本実施形態の作動装置２５によれば、制御部３１が、バッテリ３２から供給された電力を用いてモータ２９によりスピンドル２７を回転させることで、作動装置２５が作動する。そして、操作者は筐体２６の扉３８を開けて、筐体２６内に配置されたモータ２９等をメンテナンス等することができる。
また、モータ２９、制御部３１、及びバッテリ３２は、筐体２６内に配置された防水カバー３３，３４，３５により個別に覆われているため、扉３８を通して筐体２６内に浸入した水にモータ２９、制御部３１、及びバッテリ３２が漬かるのを抑制することができる。
【００４６】
スイッチ３０は、制御部３１を覆う第１防水カバー３３に覆われている。制御部３１を覆う第１防水カバー３３を用いて、筐体２６内に配置されたスイッチ３０が、扉３８を通して筐体２６内に浸入した水に漬かるのを抑制することができる。
また、本実施形態の給水システム１によれば、筐体２６が扉３８を有していても、筐体２６内に配置されたモータ２９等が扉３８を通して筐体２６内に浸入した水に漬かるのを抑制した作動装置２５を用いて、給水栓１０の給水管１１を開閉させることができる。
【００４７】
給水システム１は、雌ねじが形成された吐出管１２を備えている。モータ２９がスピンドル２７を軸線Ｃ回りに回転させたときに、吐出管１２の雌ねじとスピンドル２７の雄ねじとの嵌め合わせにより、スピンドル２７を上下方向に移動させることができる。
給水栓１０は、止水栓ボール１４を備えている。作動装置２５がスピンドル２７を上下方向に移動させることで、止水栓ボール１４を作動させて給水管１１を開閉させることができる。
スピンドル２７は、第１の位置Ｐ１と第２の位置Ｐ２との間を上下方向に移動する。スピンドル２７が第１の位置Ｐ１に配置されることで止水栓ボール１４が上方に移動することを規制するとともに、スピンドル２７が第２の位置Ｐ２に配置されることで止水栓ボール１４が上方に移動することを許容することができる。
【００４８】
以上、本発明の一実施形態について図面を参照して詳述したが、具体的な構成はこの実施形態に限られるものではなく、本発明の要旨を逸脱しない範囲の構成の変更、組み合わせ、削除等も含まれる。
例えば、前記実施形態では、作動装置が備える防水カバーとして、防水カバー３３，３４，３５に代えて、筐体２６内に配置され、モータ２９及び制御部３１を覆う第１防水カバーと、筐体２６内に配置され、バッテリ３２を覆う第２防水カバーと、を備えてもよい。このように、作動装置が２つの防水カバーを備え、一方の防水カバーがモータ２９、制御部３１、及びバッテリ３２のうちの２つを覆うとともに、他方の防水カバーがモータ２９、制御部３１、及びバッテリ３２のうちの残りの１つを覆ってもよい。この場合、スイッチ３０は、２つの防水カバーのいずれか１つに覆われる。
これらの変形例のように構成しても、本実施形態の作動装置２５と同様の効果を奏することができる。
【００４９】
第１防水カバー３３は下方が開口する袋状に形成されているとしたが、第１防水カバーに開口が形成されず、第１防水カバーがスイッチ３０等を下方も含めた全方向から完全に覆っていてもよい。防水カバー３４，３５についても第１防水カバー３３と同様である。
作動装置２５は、支持部材２８、スイッチ３０、ガイド４１、及びギアボックス５６等を備えなくてもよい。
配管システムが給水システムであるとしたが、配管システムはこれに限定されず、排水を流す排水システム等であるとしてもよい。
【符号の説明】
【００５０】
１    給水システム（配管システム）
１０  給水栓（配管構造）
１１  給水管（管）
１２  吐出管（支持部材）
１４  止水栓ボール（弁体）
２５  作動装置
２６  筐体
２７  スピンドル（軸体）
２９  モータ
３０  スイッチ
３１  制御部
３２  バッテリ
３３  第１防水カバー（防水カバー）
３４  第２防水カバー（防水カバー）
３５  第３防水カバー（防水カバー）
３８  扉
Ｃ  軸線
Ｐ１  第１の位置
Ｐ２  第２の位置
【図１】
2020165505.tif 000003
【図２】
2020165505.tif 000004
【図３】
2020165505.tif 000005
【図４】
2020165505.tif 000006
【図５】
2020165505.tif 000007